(57)【要約】【課題】アンテナ利得の向上を図ることが可能なアンテナ装置、および、金属ケースに内蔵した場合でも利得低下が少なく、安定したアンテナ特性とすることが可能な、アンテナ装置を金属ケースに内蔵した電波受信機器を提供すること。【解決手段】アンテナ装置６は、板状の誘電体６ｃと、この誘電体の表面に設けられた板状の放射導体６ａと、前記誘電体の裏面に設けられた板状の接地導体６ｂと、前記放射導体に電気的に接続された給電ピン６ｉとを備えている。放射導体６ａ、前記誘電体６ｃおよび前記接地導体６ｂの中心には、それらをそれぞれ貫通する穴部６ｄが形成されている。この穴部の内周面に、放射導体６ａと接地導体６ｂとを接続する電気接続部となる短絡導体６ｅを設けている。このような構成のアンテナ装置６によれば、金属の時計ケース２内に配置された場合でも、アンテナ利得の向上を図り、電波の受信感度を高めることが可能となる。【選択図】図２
2011066648.tif 000002
【特許請求の範囲】
【請求項１】
板状の誘電体と、この誘電体の表面に設けられた板状の放射導体と、前記誘電体の裏面に設けられた板状の接地導体と、前記放射導体に電気的に接続された給電部材とを備えたアンテナ装置において、
前記放射導体、前記誘電体および前記接地導体の中心に、貫通して形成された穴部と、
この穴部の内周面に設けられ、前記放射導体と前記接地導体とを接続するための電気接続部と、
を備えていることを特徴とするアンテナ装置。
【請求項２】
前記放射導体のうち、前記中心を挟んで対向する位置に一対の切り欠き部を備えており、かつ、前記放射導体の面内で、前記一対の切り欠き部を互いに結ぶ線と、前記中心と前記給電部材による給電点とを結ぶ線とは４５度の角度をなしていることを特徴とする請求項１に記載のアンテナ装置。
【請求項３】
請求項１または２記載のアンテナ装置と、このアンテナ装置を収納した筒状の金属ケース本体と、この金属ケース本体の一端の開口部を閉塞する金属部材と、前記金属ケースの他端の開口部を閉塞する透明部材と、を備えることを特徴とする電波受信機器。
【請求項４】
前記金属ケースの内部に配置された文字板と、この文字板の上で回転する指針が設けられた指針軸とをさらに備え、前記指針軸は、前記穴部内に挿通されていることを特徴とする請求項３記載の電波受信機器。
【請求項５】
時刻合わせのための標準電波受信用の他のアンテナ装置が設けられていることを特徴とする請求項３または４記載の電波受信機器。
【請求項６】
前記誘電体は、厚みが０．５ｍｍ〜１．５ｍｍ、比誘電率が１０〜３０であることを特徴とする請求項４または５記載の電波受信機器。
【発明の詳細な説明】
【技術分野】
【０００１】
本発明は、アンテナ装置および電波受信機器に関するものである。
【背景技術】
【０００２】
近年、GPSを用いた車載用GPS受信カーナビゲーション装置あるいは携帯ハンディ型のGPS受信機が安価に実用化され広く利用されてきている。また、最近では、デジタル通信および移動体通信等の技術の進歩、ならびに誘電体セラミックスまたは強誘電体材料による短縮小型化等の部品の小型化によって、GPS受信機および受信モジュールの小型化が進んでいる。さらには、腕時計型等の超小型携帯用のGPS受信機または位置検出システムも各種提案されている。
【０００３】
この種の民生用GPS受信機では、受信用アンテナとして、受信機とは別の筐体に収容されたパッチ型平面アンテナまたは筒状ヘリカル、あるいは受信機筐体内に内蔵されたパッチ型アンテナなどが用いられている。
【０００４】
この中で、腕時計の時計ケース内に、板状の誘電体と、この誘電体の表面側に設けられた板状の放射導体と、誘電体の裏面側に設けられた板状の接地導体と、放射導体に電気的に接続された給電部材とを備え、放射導体のさらに表面側には、他の誘電体を介して周波数調整用プレートが設けられたパッチ型アンテナ装置が知られている（例えば、特許文献１）。そして、このアンテナ装置では、中心に設けられた中央支持体である指針駆動軸が、誘電体、放射導体、接地導体などの各要素を整列保持することとしている。
【先行技術文献】
【特許文献】
【０００５】
【特許文献１】特開平８−２１３８１９号公報（図２０）
【発明の概要】
【発明が解決しようとする課題】
【０００６】
上記特許文献１に記載のアンテナ装置においては、穴部内に設けられている中央支持体である指針駆動軸は、誘電体、放射導体、接地導体などの各要素を整列保持するための機能を持つものの、誘電体、放射導体、接地導体などの各要素に対するアンテナ利得特性に関与する機能をものものではなく、したがって、アンテナ利得の向上に寄与するものではなかった。
【０００７】
一方、腕時計の場合、デザイン性や高級感が重視されることから、時計ケースをチタンやステンレス等の金属で製作する場合が多い。ところが、パッチ型アンテナ装置を金属製の時計ケースに内蔵すると、外部から受信する電波がこの金属製の時計ケースで磁気シールドされてしまうために、受信感度が低下してしまうという問題があった。そのため、金属製の時計ケースに内蔵した場合でも、受信感度が低下しないパッチ型アンテナ装置が要望されていた。
【０００８】
本発明は、かかる問題点に鑑みなされたもので、アンテナ利得の向上を図ることが可能なアンテナ装置を提供することを目的としている。
また、本発明は、金属ケースに内蔵した場合でもアンテナ利得の低下が少なく、安定したアンテナ特性を得ることが可能な電波受信機器を提供することを他の目的としている。
【課題を解決するための手段】
【０００９】
請求項１の発明は、
板状の誘電体と、この誘電体の表面に設けられた板状の放射導体と、前記誘電体の裏面に設けられた板状の接地導体と、前記放射導体に電気的に接続された給電部材とを備えたアンテナ装置において、
前記放射導体、前記誘電体および前記接地導体の中心に、貫通して形成された穴部と、
この穴部の内周面に設けられ、前記放射導体と前記接地導体とを接続するための電気接続部と、
を備えていることを特徴とするアンテナ装置である。
【００１０】
請求項２の発明は、請求項１に記載のアンテナ装置において、前記放射導体のうち、前記中心を挟んで対向する位置に一対の切り欠き部を備えており、かつ、前記放射導体の面内で、前記一対の切り欠き部を互いに結ぶ線と、前記中心と前記給電部材による給電点とを結ぶ線とは４５度の角度をなしていることを特徴とする。
【００１１】
請求項３の発明は、請求項１または２記載のアンテナ装置と、このアンテナ装置を収納した筒状の金属ケース本体と、この金属ケース本体の一端の開口部を閉塞する金属部材と、前記金属ケースの他端の開口部を閉塞する透明部材と、を備えることを特徴とする電波受信機器である。
【００１２】
請求項４の発明は、請求項３記載の電波受信機器において、前記金属ケースの内部に配置された文字板と、この文字板の上で回転する指針が設けられた指針軸とをさらに備え、前記指針軸は、前記穴部内に挿通されていることを特徴とする。
【００１３】
請求項５の発明は、請求項３または４記載の電波受信機器において、時刻合わせのための標準電波受信用の他のアンテナ装置が設けられていることを特徴とする。
【００１４】
請求項６の発明は、請求項４または５記載の電波受信機器において、前記誘電体は、厚みが０．５ｍｍ〜１．５ｍｍ、比誘電率が１０〜３０であることを特徴とする。
【発明の効果】
【００１５】
以上のように構成されたアンテナ装置および電波受信機器によれば次のような効果を得ることができる。
すなわち、この発明によれば、アンテナ構造体の中心に穴部を設け、該穴部の内周面に、放射導体と接地導体とを接続するための電気接続部を設けているので、電気的接続部自身が放射導体の一部として機能し、この電気的接続部がない場合と比較して、電気的接続部が設けられている分、電波を受ける面積または容積が増加し、アンテナ利得が増加することになる。
また、電気的接続部を設けないで穴部のみを設けた場合では、穴部における放射導体と接地導体の電圧差が生じ、この電位差に伴い放射電界が発生し、アンテナ周辺の影響を受けてしまい、電波の受信感度が劣化するが、この発明によれば、アンテナ構造体の中心に穴部を設ける一方で、この穴部の内周面に設けた電気的接続部を介して、放射導体と接地導体とを電気的に接続しているので、穴部における放射導体と接地導体の電圧差をなくすことができ、この結果、穴部における不要な放射電界がなくなり、アンテナ周辺の影響をあまり受けない、安定したアンテナ特性を得ることができる。
【図面の簡単な説明】
【００１６】
【図１】本発明の第１の実施形態の腕時計を示す縦断面図である。
【図２】図１の腕時計のアンテナ装置およびその周辺を拡大して示す断面図である。
【図３】図２のアンテナ装置の図であり、（Ａ）は平面図、（Ｂ）は底面図、（Ｃ）は一部拡大斜視図である。
【図４】アンテナ長の説明図であり、（Ａ）は比較例のアンテナ装置の平面図、（Ｂ）は図２のアンテナ装置の側面図である。
【図５】本実施形態のアンテナ装置の入力インピーダンスを測定した結果を示すスミスチャートである。
【図６】右旋円偏波受信時の指向性利得パターンを示す図である。
【図７】本発明の第２の実施形態の腕時計を示す縦断面図である。
【図８】図１および図７の腕時計のアンテナ装置の変形例１を上下から見た図であり、（Ａ）は平面図、（Ｂ）は底面図である。
【図９】図１および図７の腕時計のアンテナ装置の変形例２を上下から見た図であり、（Ａ）は平面図、（Ｂ）は底面図である。
【図１０】図１および図７の腕時計のアンテナ装置の変形例３を上下から見た図であり、（Ａ）は平面図、（Ｂ）は底面図である。
【図１１】図１および図７の腕時計のアンテナ装置の変形例１を上下から見た図であり、（Ａ）は平面図、（Ｂ）は底面図である。
【発明を実施するための形態】
【００１７】
以下、図面を参照して、本発明の実施形態を説明する。なお、以下では、本発明を、電波受信機器の一種である腕時計に適用した場合を説明するが、本発明は、この腕時計に限定されるものではないことは勿論である。
【００１８】
［第１の実施形態］
図１は、実施形態における腕時計１の概略縦断面図である。
この腕時計１は、筒状の金属ケース本体である時計ケース２と、この時計ケース２の一端の開口部を閉塞する金属部材である裏蓋３とを備えている。この時計ケース２と裏蓋３とで腕時計１の筐体が構成されている。時計ケース２の内部には、時計モジュール４と、文字板５とが設置されている。また、時計ケース２の内部には、時計モジュール４と文字板５との間にアンテナ装置６が設けられている。
アンテナ装置６は、GPS(Global Positioning System)電波を受信するためのものである。さらに、時計ケース２の１２時、６時方向には、腕時計１を腕に装着するためのバンド７Ａを取り付けるためのバンド取付部７が設けられている。時計ケース２の上部側面には、ベゼル１５、カバー部材１６が設けられている。このベゼル１５およびカバー部材１６は金属製である。
【００１９】
時計ケース２は、ステンレスやチタン等の金属で筒状に形成されている。時計ケース２の上面側には、文字板５を外部から視認可能となるように、時計ケース２の他端の開口部を閉塞する透明部材である時計ガラス８が、パッキン９を介して嵌められている。この時計ガラス８は、時計ケース２の上面側開口部を閉塞している。時計ケース２の下面側には、この時計ケース２と同様の金属で形成された裏蓋３が、防水リング１０を介して取り付けられている。この裏蓋３は、時計ケース２の下面側開口部を閉塞している。
【００２０】
時計ケース２の内部には、時計モジュール４、配線基板１１、アンテナ装置６および文字板５が裏蓋３側からこの順で配置されている。
【００２１】
時計モジュール４は、図示はしないが、各種回路等が形成されたＩＣチップと、時針や秒針等の指針１２を文字板５上で運針させるためのアナログ指針機構とを備えている。ＩＣチップに形成された回路要素は、時計モジュール４の各部を制御するＣＰＵ等の制御ＩＣと、アンテナ装置６に電気的に接続されてGPS電波を受信し増幅・復調してGPS電波に含まれる位置データや時刻データを取り出す受信回路と、発振器を有して現在時刻を計時する計時回路とを備えている。
制御ＩＣは、例えば、受信回路で受信された位置データに基づいて現在位置の表示制御を行うとともに、受信回路で受信された時刻データに基づいて時刻修正処理を行う。なお、GPS電波から時刻データを取得するほかに、別途アンテナ装置を設けて標準電波から時刻データを取得するようにしてもよい。
【００２２】
配線基板１１は、受信回路および計時回路などの回路に接続される配線パターン１１aおよび接地パターンが上面に形成され、アンテナ装置６の一部を構成している。
【００２３】
アンテナ装置６は、図２に示すように、板状の放射導体６ａおよび接地導体６ｂで板状の誘電体６ｃを上下から挟み込んだ平面アンテナ構造となっている。放射導体６ａおよび接地導体６ｂは例えば厚み１２μｍの銀箔で構成されている。他方、誘電体６ｃは例えば厚み５０μｍのセラミックを１３層積層して構成されている。
ここでは、誘電体６ｃの比誘電率は波長短縮化が十分に図れる値に設定されている。誘電体を設けないとすれば、放射導体の直径は受信電波の波長に対して１／２になっている必要がある。この場合、GPS衛星からの受信周波数が1.57542GHZだとすれば、放射導体３２ａの直径は９５．２ｍｍとすることが必要となる。しかし、それでは大きすぎて腕時計の時計ケース２の内部に放射導体３２ａを組み込むことができない。そこで、本実施形態では、誘電体６ｃを使用するとともに、誘電体６ｃの比誘電率を比較的に高くすることによって、波長短縮化を図っている。
短縮された波長とアンテナ基板の誘電率との関係は次式で表せる。
すなわち、受信する電波の波長をλ、アンテナ基板の実効誘電率をεeとすると、電気的に短縮された波長λgは、式λg＝λ／√εeで表される。
例えば、時計ケース２の内径が３０ｍｍ程度であれば、誘電体の比誘電率を１０〜３０程度にすればよいことになる。
【００２４】
放射導体６ａの中心ＳＡの位置には、放射導体６ａはもとより、誘電体６ｃおよび接地導体６ｂの中心ＳＡを貫通する穴部６ｄが形成されている。穴部６ｄの直径は例えば２．５ｍｍである。そして、放射導体６ａと接地導体６ｂとは、穴部６ｄを画成する内壁の全周、すなわち穴部６ｄの内周面の全周に沿って付設した短絡導体６ｅによって電気的に短絡されている。この短絡導体６ｅによって、放射導体６ａと接地導体６ｂとを電気的に接続する電気接続部が構成されている。
また、放射導体６ａの外周のうち、放射導体６ａの中心を挟んで互いに対向する位置に一対の切り欠き部６ｆが形成されている。一対の切り欠き部６ｆを設けたのは、アンテナ装置６を円偏波アンテナとして機能させるためである。
【００２５】
接地導体６ｂには、穴部６ｇが形成されており，誘電体６ｃの一部が露出する。露出した誘電体部分の中央には、給電ランド部を持つ給電部材である給電ピン６ｉが設けられている。この給電ピン６ｉは、放射導体６ａと電気的に接続されている。さらに、給電ピン６ｉは、配線基板１１上に形成されている配線パターン１１ａと電気的に接続されている。これによって、給電ピン６ｉの給電ランド部は配線基板１１の配線パターン１１ａを介して受信回路に電気的に接続されている。なお、接地導体６ｂは、図示しない箇所で、配線基板１１上に形成されている接地パターンを介して接地されている。
なお、この実施の形態では、図２に示すとおり、時計ケース２の内径Ｌ１は、３０ｍｍ、誘電体６ｃの外形の直径Ｌ２は、２９．５ｍｍ、誘電体６ｃの穴部の半径Ｌ３は、１．２５ｍｍ、誘電体６ｃの厚みＬ４は、０．５ｍｍ〜１．５ｍｍ、その比誘電率は１０〜３０としているが、これに限られない。
ここで、給電ピン６ｉと放射導体６ａとの給電位置Ｓの設置場所について説明する。
図３（Ａ）は、この実施形態のアンテナ装置６の平面図であり、図３（Ｂ）は、そのアンテナ装置６の底面図、図２（Ｃ）は斜視図である。
これら図３に示される誘電体６ｃおよび接地導体６ｂは平面視で８角形となっている。
GPS電波は右旋円偏波であるので、この実施形態では、放射導体６ａを通る線分のうち切り欠き部６ｆ同士を結ぶ線分（Ｙ(+)−Ｙ(-)）と、放射導体６ａの中心ＳＡと給電点Ｓとを結ぶ線分（ＳＡ−Ｓ）とがＸ＜０，Ｙ＞０の領域において４５°となるような位置に設けてある。右旋円偏波とするには、放射導体６ａを通る線分のうち切り欠き部６ｆ同士を結ぶ線分（Ｙ(+)−Ｙ(-)）と、放射導体６ａの中心ＳＡと給電点Ｓとを結ぶ線分（ＳＡ−Ｓ）とがＸ＞０，Ｙ＜０の領域において４５°となるような位置に設けてもよい。ちなみに、左旋円偏波とした場合には、放射導体６ａを通る線分のうち切り欠き部６ｆ同士を結ぶ線分（Ｙ(+)−Ｙ(-)）と、放射導体６ａの中心ＳＡと給電点Ｓとを結ぶ線分（ＳＡ−Ｓ）とがＸ＞０，Ｙ＞０の領域またはＸ＜０，Ｙ＜０の領域において４５°となるような位置に設ければよい。
なお、放射導体６ａの中心ＳＡから給電位置Ｓまでの距離はインピーダンスが例えば５０Ωとなるように設定され、オフセット給電を行っている。すなわち、この給電位置で入力インピーダンスの調整を行っている。
また、誘電体６ｃおよび接地導体６ｂを８角形としているのは、８角形その他の多角形とすることにより、腕時計１その他の機器のケース内に組み込んだ際にその角部が位置決めとなり、ケースに対する誘電体６ｃおよび接地導体６ｂの回転防止と、ケースに対して誘電体６ｃおよび接地導体６ｂを組み込む際、その角部が指標として向きを簡単に合わせることができるようにするためである。
【００２６】
次に、放射導体６ａの中心位置に穴部６ｃを設ける一方で、この穴部６ｄを画成する内周面に沿って付設した短絡導体６ｅによって放射導体６ａと接地導体６ｂとを電気的に接続し、短絡させることとした理由について述べる。
本実施形態のアンテナ装置はパッチ型アンテナであるが、通常のパッチ型アンテナでは放射導体の中心位置で電圧が０Ｖになるため、仮に、この中心位置で放射導体６ａと接地導体６ｂとを電気的に接続し短絡させただけではアンテナ特性にはほとんど影響しない。
しかしながら、本発明者は、放射導体６ａの中心位置に穴部６ｄを設ける一方で、この穴部６ｄを画成する内壁の全周に沿って付設した短絡導体６ｅを介して、放射導体６ａと接地導体６ｂとを電気的に接続し短絡させると、短絡導体６ｅ自身がアンテナの利得向上に寄与するアンテナ素子として機能し、この結果、穴部６ｄを設けたのみでこの穴部６ｄの内周面に短絡導体６ｅを設けない場合と比較して、短絡導体６ｅが設けられている分、電波を受ける面積または容積が増加し，アンテナ利得が増加することを見い出した。
図４（Ａ）は、穴部において放射導体と接地導体とを電気的に短絡導体で短絡させていない構造の、短絡導体無しのアンテナ装置の平面図であり、図４（Ｂ）は、穴部において放射導体と接地導体とを短絡導体で電気的に短絡させた構造の本実施形態に係るアンテナ装置の側面図である。
この両図面に従って、説明すると、図４（Ａ）に示す短絡導体無しのアンテナ装置の場合、穴部６ｄの周囲とアンテナの長さを足した長さが誘電体６ｃ中での波長λ’の１／２に相当するように誘電体６ｃの外形形状が設計されている。穴部６ｄが形成されているために、その周囲で電流が迂回するので、迂回する分、電流経路長が長くなる。このために、穴部がない構造に比べてアンテナ全体の外形形状のサイズを小さくすることができる。
これに対して、図４（Ｂ）に示す本実施形態のアンテナ装置の場合、穴部６ｄを形成したほかに、その穴部６ｄの内周面に短絡導体６ｅを設けている。このために、短絡導体６ｅの高さＬ５と放射導体６ａの長さＬ６を足した長さが波長λ’の１／４に相当するように誘電体６ｃの外形形状が設計されている。このために、本実施形態のアンテナ装置によれば、短絡導体６ｄが設けられている分だけ、図４（Ａ）に示す短絡導体無しのアンテナ装置の場合よりも電波を受ける面積または容積が大きくなり、アンテナ利得が増加することを見い出した。
【００２７】
以上のように構成されたアンテナ装置６によれば次のような効果を得ることができる。
まず、アンテナ構造体の中心ＳＡに穴部６ｄを設けている一方で、この穴部６ｄの内周面に設けられた短絡導体６ｅを介して、放射導体６ａと接地導体６ｂとを電気的に短絡させているので、短絡導体６ｅ自身がアンテナ素子の機能として働き，この短絡導体６ｅがない場合と比較して、短絡導体６ｅが設けられている分、電波を受ける面積または容積が増加し、アンテナ利得を増加させることができる。
さらに、アンテナ装置６を金属の時計ケース２内に組み込んだとしても，アンテナ指向性を文字板５の開口部に持たせることで，金属時計ケース２によるアンテナ利得の減少を少なくすることができる。」
【００２８】
本実施形態のアンテナ装置の入力インピーダンスを測定した結果が図５のスミスチャートに示されている。このアンテナ装置は円偏波特性を有するアンテナのため、同図に示すようにくびれ部があり、そのくびれ部分が中心周波数（1.57542GHz）においてインピーダンス整合されていることが分かる。
一方、図６は、右旋円偏波受信時の指向性利得特性を示す図であり、３つの右旋円偏波受信時の指向性利得特性曲線が示されている。
この図において、円の外周の数字は、パッチアンテナ装置の頂点方向（時計ガラス８側の方向）を０度とした方位を示す角度（単位：°）、円の半径方向は利得（単位：０ｄＢ）を示す。特性曲線５Ａ、５Ｂ、５Ｃは、放射導体６a等の放射特性、すなわち利得の方位特性を示す。
同図において２点鎖線で示す指向性利得特性曲線５Ａは、アンテナ装置６を金属裏蓋３付きの金属時計ケース２内に内蔵せずに、当該アンテナ装置６の単体状態で入力インピーダンスを測定した場合における指向性利得特性曲線を示す。
実線で示す指向性利得特性曲線５Ｂは、放射導体６ａと接地導体６ｂとを電気的に短絡導体６ｅで短絡させた構造の、この実施の形態にかかるアンテナ装置６を、金属裏蓋３付きの金属時計ケース２内に内蔵した状態で入力インピーダンスを測定した場合における指向性利得特性曲線を示す。
また、破線で示す指向性利得特性曲線５Ｃは、金属裏蓋３付きの金属時計ケース２の形状が同じ形状であるが、放射導体６ａと接地導体６ｂとを電気的に短絡導体６ｅで短絡させていない、短絡無しのアンテナ装置６を金属裏蓋３付きの金属時計ケース２内に内蔵した状態で入力インピーダンスを測定した場合における指向性利得特性曲線を示す。
なお、同図では実施形態のアンテナ装置６を金属裏蓋３付きの金属時計ケース２内に内蔵した状態で入力インピーダンスを測定した場合における最大利得０ｄＢを基準としたときの各指向性利得特性曲線を示している。
同図に示す指向性利得特性５Ｂから明らかなように、この実施の形態にかかるアンテナ装置６、すなわち、金属裏蓋３付きの金属時計ケース２内に放射導体６ａと接地導体６ｂとを電気的に短絡導体６ｅで短絡させた構造の実施形態のアンテナ装置６によれば、アンテナ装置を金属裏蓋３付きの金属時計ケース２内に入れた状態でも、文字板側（図６中の上部方向側）に指向性を持つ円偏波特性となっていて、金属時計ケース２の影響による利得低下が少ないことが分かる。
このために、この実施形態にかかる実線の指向性利得特性５Ｂと破線で示す指向性利得特性５Ｃとを比較した場合、この実施形態にかかる実線の指向性利得特性５Ｂは、破線で示す指向性利得特性５Ｃの場合よりも、金属の時計ケース２の影響を受けながらも、接地導体６ｂが設けられている面の方向から放射導体６eが設けられている面の方向（図６における０°の方向）の利得特性を、図６中の利得Ｒの分、増加させることができ、この結果、電波受信感度の向上を図ることができる。
【００２９】
［第２の実施形態］
図７にはこの発明の第２の実施形態の腕時計が示されている。
この第２の実施形態の腕時計１００が第１の実施形態と異なる点は、時計ケース２の上半部が非金属となっている点である。
具体的には、腕時計１００の時計ケース２は、誘電体６ｃの下面に対応する部位より上の部分が非金属部材、例えば合成樹脂部材で形成されている。また、ベゼル１５およびカバー部材１６が非金属部材、例えば合成樹脂部材で形成されている。腕時計１００は、その他の点では腕時計１と同じ構造となっている。したがって、同じ部分については図面上で同一符号を使用し、その説明は省略する。
この腕時計１００によれば、金属性の時計ケース２のうち、誘電体６ｃの下面に対応する部位より上の部分が非金属部材で形成されているので、さらに、アンテナ感度が向上することになる。
【００３０】
［アンテナの変形例］
以上、本発明の実施形態について説明したが、実施形態のアンテナ装置は次のように変形してもよい。
図８はアンテナ装置の変形例１を上下から見た図であり、図８（Ａ）は平面図、図８（Ｂ）は底面図である。
変形例１のアンテナ装置２０は短絡導体６ｅの構成の点で上記アンテナ装置６と異なっている。すなわち、図３に示すアンテナ装置６では、穴部６ｄの内周面の全域に短絡導体６ｅを設けているのに対して、変形例１のアンテナ装置２０では、図８に示すように、穴部６ｄの内周面のうちの部分的に短絡導体６ｅを設けている。部分的に設ける場合には、穴部６ｄの内周に沿って短絡導体６ｅを複数設けることが好ましいが、短絡導体６ｅを一つ設けるようにしてもよい。
【００３１】
図９はアンテナ装置の変形例２を上下から見た図であり、図９（Ａ）は平面図、図９（Ｂ）は底面図である。
変形例２のアンテナ装置３０は切り欠き部６ｆの形成場所の点で上記アンテナ装置６と異なっている。すなわち、図３（Ａ）に示すアンテナ装置６では、放射導体６ａの外周に切り欠き部６ｆ、６ｆを設けているのに対して、変形例２のアンテナ装置３０では、穴部６ｄの内周に切り欠き部６ｆ、６ｆを設けている。この構造でも、円偏波アンテナとすることができる。
【００３２】
図１０はアンテナ装置の変形例３を上下から見た図であり、図１０（Ａ）は平面図、図１０（Ｂ）は底面図である。
変形例２のアンテナ装置４０は給電方式の点で上記アンテナ装置６と異なっている。すなわち、図９（Ａ）に示すアンテナ装置６では、放射導体６ａに切り欠き部６ｆ、６ｆを設け１給電方式で円偏波アンテナとしているのに対して、変形例２のアンテナ装置４０では、図示しない２給電方式で円偏波アンテナとしている。この場合には位相差を９０°とするためのハイブリッド回路が使用される。
【００３３】
図１１はアンテナ装置の変形例４を上下から見た図であり、図１１（Ａ）は平面図、図１１（Ｂ）は底面図である。
変形例３のアンテナ装置５０は誘電体６ｃおよび接地導体６ｂの形状の点で上記アンテナ装置６と異なっている。すなわち、図３に示すアンテナ装置６では、誘電体６ｃおよび接地導体６ｂを８角形としているのに対して、変形例３のアンテナ装置５０では、誘電体６ｃおよび接地導体６ｂを円形としている。
【００３４】
以上、実施形態および変形例を説明したが、本発明は、かかる実施形態および変形例に限定されるものではなく、種々の変形が可能であることはいうまでもない。
例えば、上記実施形態および変形例では、円偏波の電波を受信する場合について説明したが、その他の偏波の場合にも適用できる。また、GPS受信機能付きの腕時計以外の携帯電話、GPS専用受信機などの他の電波受信機器にも適用できる。さらに、電波を受信する場合に限られず、電波を送信する場合にも適用できる。
【符号の説明】
【００３５】
１，１００  腕時計
２  時計ケース
３  裏蓋
６  アンテナ装置
６ａ  放射導体
６ｂ  接地導体
６ｃ  誘電体
６ｄ  穴部
６ｅ  短絡導体（電気接続部）
６ｉ  給電ピン（給電部材）
ＳＡ  中心
Ｓ  給電点
【図１】
2011066648.tif 000003
【図２】
2011066648.tif 000004
【図３】
2011066648.tif 000005
【図４】
2011066648.tif 000006
【図５】
2011066648.tif 000007
【図６】
2011066648.tif 000008
【図７】
2011066648.tif 000009
【図８】
2011066648.tif 000010
【図９】
2011066648.tif 000011
【図１０】
2011066648.tif 000012
【図１１】
2011066648.tif 000013